(57)【特許請求の範囲】
【請求項１】
無線通信端末により変調されて送信された無線信号を復調してデータを再生する復調部とこのデータを再び変調する変調部とを備え、前記変調部によって変調された無線信号を送信し、前記変調部および前記復調部の構成の更新が可能な無線中継装置であって、
構成の更新の対象となる前記変調部および前記復調部に対する構成の更新を制御し、構成の更新の対象となる前記変調部および前記復調部が正常に動作するか否かの診断に用いる接続経路である診断経路を、前記変調部および前記復調部の通常の運用中の接続経路である運用経路と独立に構築するよう制御する更新制御部と、
前記運用経路を用いた前記変調部および前記復調部の運用中に、前記診断経路を用いて更新後の前記変調部および前記復調部の診断を行う診断部と、
前記更新制御部からの制御により、前記診断経路を構築するよう経路を切り替える診断経路選択部と、
を備えることを特徴とする無線中継装置。
【請求項２】
前記診断経路を、前記診断部、更新対象の前記復調部、更新対象の前記変調部、前記診断部の順に接続する経路とする、ことを特徴とする請求項１に記載の無線中継装置。
【請求項３】
前記診断部は、
更新後の前記復調部および前記変調部に対する診断を行うための診断用データを生成して前記変調部へ入力する診断データ生成部と、
前記変調部が前記診断用データを変調したデータを前記復調部が復調した復調結果と自身が生成した前記診断用データとを照合し、照合結果に基づいて前記復調部および前記変調部が正常であるか否かを判断する診断データ照合部と、
を備えることを特徴とする請求項１または２に記載の無線中継装置。
【請求項４】
前記更新制御部は、前記診断部による診断結果に基づいて更新後の前記復調部および前記変調部が正常でないと判断した場合、当該復調部および変調部を前記運用経路、前記診断経路のいずれにも接続しないよう制御する、ことを特徴とする請求項１、２または３に記載の無線中継装置。
【請求項５】
前記復調部および前記変調部の構成の更新を、前記診断経路の構築の後に実施することを特徴とする請求項１〜４のいずれか１つに記載の無線中継装置。
【請求項６】
前記診断経路を１つとすることを特徴とする請求項１〜５のいずれか１つに記載の無線中継装置。
【請求項７】
前記診断経路を複数設定可能とし、更新対象の前記復調部と前記変調部の組に対してそれぞれ個別に診断経路を構築する、ことを特徴とする請求項１〜５のいずれか１つに記載の無線中継装置。
【請求項８】
前記復調部は複数の復調処理部を備え部分的な構成の書き換えを可能とし、前記変調部は複数の変調処理部を備え部分的な構成の書き換えを可能とし、
前記更新制御部は、前記復調部および前記変調部のうち更新対象の前記復調処理部および前記変調処理部の書き換えを、前記復調部および前記変調部のうち更新対象以外の前記復調処理部および前記変調処理部を用いた運用中に実施するよう制御し、
前記診断経路の構築および前記診断部による診断を、前記復調部および前記変調部を用いる通信を終了した後に実施し、
前記更新制御部は、更新対象の前記復調処理部および前記変調処理部を含む診断経路を構築するよう制御する、ことを特徴とする請求項１〜４のいずれか１つに記載の無線中継装置。
【請求項９】
無線通信端末により変調されて送信された無線信号を復調してデータを再生する復調部とこのデータを再び変調する変調部とを備え、前記変調部によって変調された無線信号を送信し、前記変調部および前記復調部の構成の更新が可能な無線中継装置における変調方式更新方法であって、
構成の更新の対象となる前記変調部および前記復調部が正常に動作するか否かの診断に用いる接続経路である診断経路を、前記変調部および前記復調部の通常の運用中の接続経路である運用経路と独立に構築する経路構築ステップと、
構成の更新の対象となる前記変調部および前記復調部に対して構成の更新を実施する更新ステップと、
前記運用経路を用いた前記変調部および前記復調部の運用中に、前記診断経路を用いて更新後の前記変調部および前記復調部の診断を行う診断ステップと、
を含むことを特徴とする変調方式更新方法。
【請求項１０】
前記診断経路を、前記診断ステップを実施する診断部、更新対象の前記復調部、更新対象の前記変調部、前記診断部の順に接続する経路とする、ことを特徴とする請求項９に記載の変調方式更新方法。
【請求項１１】
前記診断ステップは、
更新後の前記復調部および前記変調部に対する診断を行うための診断用データを生成して前記変調部へ入力するステップと、
前記変調部が前記診断用データを変調する変調ステップと、
前記復調部が、前記変調ステップにより変調されたデータを復調して復調結果を前記診断部に入力する復調ステップと、
前記復調結果と自身が生成した前記診断用データとを照合し、照合結果に基づいて前記復調部および前記変調部が正常であるか否かを判断する照合ステップと、
を含むことを特徴とする請求項９または１０に記載の変調方式更新方法。
【請求項１２】
前記診断ステップにおいて、更新後の前記復調部および前記変調部が正常でないと判断した場合、当該復調部および変調部を前記運用経路、前記診断経路のいずれにも接続しないよう制御する経路変更ステップ、
を含むことを特徴とする請求項９、１０または１１に記載の変調方式更新方法。
【請求項１３】
前記更新ステップを、前記経路構築ステップの後に実施することを特徴とする請求項９〜１２のいずれか１つに記載の変調方式更新方法。
【請求項１４】
前記診断経路を１つとすることを特徴とする請求項９〜１３のいずれか１つに記載の変調方式更新方法。
【請求項１５】
前記診断経路を複数設定可能とし、更新対象の前記復調部と前記変調部の組に対してそれぞれ個別に診断経路を構築する、ことを特徴とする請求項９〜１３のいずれか１つに記載の変調方式更新方法。
【請求項１６】
前記復調部は複数の復調処理部を備え部分的な構成の書き換えを可能とし、前記変調部は複数の変調処理部を備え部分的な構成の書き換えを可能とし、
前記更新ステップでは、前記復調部および前記変調部のうち更新対象の前記復調処理部および前記変調処理部の書き換えを、前記復調部および前記変調部のうち更新対象以外の前記復調処理部および前記変調処理部を用いた運用中に実施し、
前記経路構築ステップおよび前記診断ステップを、前記復調部および前記変調部を用いる通信を終了した後に実施し、
前記経路構築ステップでは、更新対象の前記復調処理部および前記変調処理部を含む診断経路を構築する、ことを特徴とする請求項９〜１２のいずれか１つに記載の変調方式更新方法。
【発明の詳細な説明】
【技術分野】
【０００１】
本発明は、無線中継装置および変調方式更新方法に関する。
【背景技術】
【０００２】
従来の無線中継装置において、無線通信端末との通信で使用する変調方式を新たな方式へ更新する際の更新方法として、ＦＰＧＡ（Ｆｉｅｌｄ  Ｐｒｏｇｒａｍａｂｌｅ  Ｇａｔｅ  Ａｒｒａｙ）など書き換えが可能なデバイスを用いて変復調処理回路を構成し、ソフトウェア無線と呼ばれる公知の技術を適用して、接続する無線通信端末に応じて変復調処理回路を更新するという方法がある。
【０００３】
このような方法で回路を更新する場合には、更新後の回路を運用に供する前に、正常に動作することを確認するための診断を行う必要がある。この診断方法として、装置内の上流側に位置する復調部から診断用データを送信し、下流側に位置する変調部から出力されるデータを照合するという方法がある（例えば、特許文献１参照）。
【先行技術文献】
【特許文献】
【０００４】
【特許文献１】特開２００１−１２７６８４号公報
【発明の概要】
【発明が解決しようとする課題】
【０００５】
しかしながら、上記従来の無線中継装置における変調方式更新方法では、更新対象とする変復調処理回路を、運用中の処理回路に接続したまま、更新後の診断を行っている。そのため、回路の更新に失敗、或いは更新データを取り違えることによって、更新後の回路の動作が異常となり、装置全体の動作に支障をきたす可能性があるという、という問題があった。
【０００６】
また、このような問題を回避する方法として、無瞬断切替が可能な冗長構成を採り、待機系の回路に対して更新を行った後、冗長切替を行う方法も考えられるが、この場合、無瞬断切替を実現するために装置コストが増大するという問題がある。さらに、ハードウェア資源や電源供給能力の制限などにより、無瞬断冗長切替に対応できない場合には、回路更新の際に装置の運用を一旦停止する必要があるという問題がある。
【０００７】
本発明は、上記に鑑みてなされたものであって、運用開始（装置設置）後に新たな通信方式に対応するため、運用を継続したまま、運用中の通信回線に影響を与えずに、変調処理回路の更新を行うことができる無線中継装置および変調方式更新方法を得ることを目的とする。
【課題を解決するための手段】
【０００８】
上述した課題を解決し、目的を達成するために、本発明は、無線通信端末により変調されて送信された無線信号を復調してデータを再生する復調部とこのデータを再び変調する変調部とを備え、前記変調部によって変調された無線信号を送信し、前記変調部および前記復調部の構成の更新が可能な無線中継装置であって、構成の更新の対象となる前記変調部および前記復調部に対する構成の更新を制御し、構成の更新の対象となる前記変調部および前記復調部が正常に動作するか否かの診断に用いる接続経路である診断経路を、前記変調部および前記復調部の通常の運用中の接続経路である運用経路と独立に構築するよう制御する更新制御部と、前記運用経路を用いた前記変調部および前記復調部の運用中に、前記診断経路を用いて更新後の前記変調部および前記復調部の診断を行う診断部と、前記更新制御部からの制御により、前記診断経路を構築するよう経路を切り替える診断経路選択部と、を備えることを特徴とする。
【発明の効果】
【０００９】
本発明によれば、運用開始（装置設置）後に新たな通信方式に対応するため、運用を継続したまま、運用中の通信回線に影響を与えずに、変調処理回路の更新を行うことができるという効果を奏する。
【図面の簡単な説明】
【００１０】
【図１】図１は、実施の形態１の無線中継装置の構成例を示す図である。
【図２】図２は、実施の形態１の診断経路選択部の一構成例を示す図である。
【図３】図３は、実施の形態１の診断部の一構成例を示す図である。
【図４】図４は、実施の形態１の復調部および変調部の更新および診断手順の一例を示すフローチャートである。
【図５】図５は、実施の形態２の無線中継装置の構成例を示す図である。
【図６】図６は、実施の形態３の復調部および変調部の構成例を示す図である。
【発明を実施するための形態】
【００１１】
以下に、本発明にかかる無線中継装置および変調方式更新方法の実施の形態を図面に基づいて詳細に説明する。なお、この実施の形態によりこの発明が限定されるものではない。
【００１２】
実施の形態１．
図１は、本発明にかかる無線中継装置の実施の形態１の構成例を示す図である。本実施の形態の無線中継装置３は、無線通信端末１−１〜１−ｎから受信した無線信号を一旦復調してデータを再生し、このデータを再び変調した無線信号を無線通信端末２−１〜２−ｎ（ｎは１以上の整数）へ送信する無線中継装置である。なお、本実施の形態の無線中継装置３は、無線通信端末２−１〜２−ｎから受信した無線信号を同様に無線通信端末１−１〜１−ｎへ送信する機能を有していてもよいが、送信元の無線通信端末と中継先の無線通信端末が異なるだけで動作や構成は同様であるため、ここでは無線通信端末１−１〜１−ｎからの無線信号を無線通信端末２−１〜２−ｎへ中継する方向の構成および動作を例に説明する。
【００１３】
無線中継装置３は、無線受信部１１−１〜１１−ｎ、復調部１２−１〜１２−ｎ、変調部１４−１〜１４−ｎ、交換部１３、無線送信部１５−１〜１５−ｎ、更新制御部１６、診断部１７および診断経路選択部１８を備える。
【００１４】
無線受信部１１−１〜１１−ｎは、無線信号を受信する。復調部１２−１〜１２−ｎは、ＦＰＧＡ、ＣＰＵ（Central  Processing  Unit）、ＤＳＰ（Digital  Signal  Processing）など回路情報やソフトウェアを書き換えることによって更新が可能な回路により構成され、無線受信部１１−１〜１１−ｎで受信された信号に対してそれぞれ復調処理を行いデジタルデータとして取り出す（即ちデータを再生する）。
【００１５】
交換部１３は、復調部１２−１〜１２−ｎが再生したデータ（以降、再生データという）を所望の回線（データの中継先の無線通信端末に対応する回線）へ送出するための交換処理を行う。変調部１４−１〜１４−ｎは、復調部１２−１〜１２−ｎと同様に更新が可能な回路により構成され、再生データを再び変調して、無線回線へ送出するための信号を生成する。無線送信部１５−１〜１５−ｎは、変調部１４−１〜１４−ｎにより変調された信号をそれぞれ無線信号へ変換して無線回線へ送出する。
【００１６】
更新制御部１６は、復調部更新情報２２−１〜２２−ｎ、変調部更新情報２３−１〜２３−ｎ、診断経路選択指示２１、および診断実行指示２４を送出し、復調部１２−１〜１２−ｎと変調部１４−１〜１４−ｎに対する更新処理を制御する。診断部１７は、更新後の復調部１２−１〜１２−ｎおよび変調部１４−１〜１４−ｎに対する診断を行う。診断経路選択部１８は、診断を行う際の診断対象となる診断経路を構築するよう経路の選択を行う。具体的には、診断経路選択部１８は、診断部１７、更新対象となる変調部１４−１〜１４−ｎのうちいずれか一つ、診断用ループバック経路２６、更新対象となる復調部１２−１〜１２−ｎのうちいずれか一つ、診断部１７、の順に接続する診断経路を構築する。
【００１７】
次に、本実施の形態の動作について図１、図２および図３を用いて説明する。図２は本実施の形態の診断経路選択部１８の一構成例を示す図である。図２に示すように、診断経路選択部１８は、運用中の経路と診断時の経路の選択を行うセレクタ３１−１〜３１−ｎ，３２−１〜３２−ｎ，３３−１〜３３−ｎ，３４−１〜３４−ｎで構成される。
【００１８】
セレクタ３１−１〜３１−ｎは、復調部１２−１〜１２−ｎへの入力信号を選択（無線受信部１１−１〜１１−ｎと診断用ループバック経路２６からの入力のいずれか一方を選択）する。セレクタ３１−１〜３１−ｎは、運用中（復調部１２−１〜１２−ｎおよび変調部１４−１〜１４−ｎの更新に伴う処理の実施時以外）は、無線受信部１１−１〜１１−ｎからの入力信号を復調部１２−１〜１２−ｎへ入力するよう選択し、復調部１２−１〜１２−ｎおよび変調部１４−１〜１４−ｎの更新処理時には、更新制御部１６からの診断経路選択指示２１に基づいて、更新対象の復調部１２−１〜１２−ｎに接続するセレクタ３１−１〜３１−ｎは、診断用ループバック経路２６からの入力信号を復調部１２−１〜１２−ｎへ入力するよう選択する。
【００１９】
セレクタ３２−１〜３２−ｎは、それぞれ復調部１２−１〜１２−ｎの出力先を選択（交換部１３と診断部１７のいずれか一方を選択）する。セレクタ３２−１〜３２−ｎは、運用中は、復調部１２−１〜１２−ｎの出力先を交換部１３とするよう選択し、復調部１２−１〜１２−ｎおよび変調部１４−１〜１４−ｎの更新処理時には、更新制御部１６からの診断経路選択指示２１に基づいて、更新対象の復調部１２−１〜１２−ｎの出力先を交換部１３とするよう選択する。
【００２０】
セレクタ３３−１〜３３−ｎは、それぞれ変調部１４−１〜１４−ｎへの入力信号を選択（交換部１３と診断部１７のいずれか一方を選択）する。セレクタ３３−１〜３３−ｎは、運用中は、変調部１４−１〜１４−ｎの入力元を交換部１３とするよう選択し、復調部１２−１〜１２−ｎおよび変調部１４−１〜１４−ｎの更新処理時には、更新制御部１６からの診断経路選択指示２１に基づいて、更新対象の変調部１４−１〜１４−ｎの入力元を診断部１７とするよう選択する。
【００２１】
セレクタ３４−１〜３４−ｎは、それぞれ変調部１４−１〜１４−ｎの出力先を選択（無線送信部１５−１〜１５−ｎと診断用ループバック経路２６のいずれか一方を選択）する。セレクタ３４−１〜３４−ｎは、運用中は、変調部１４−１〜１４−ｎの出力先を無線送信部１５−１〜１５−ｎとするよう選択し、復調部１２−１〜１２−ｎおよび変調部１４−１〜１４−ｎの更新処理時には、更新制御部１６からの診断経路選択指示２１に基づいて、更新対象の変調部１４−１〜１４−ｎの出力先を診断用ループバック経路２６とするよう選択する。
【００２２】
図３は、本実施の形態の診断部１７の一構成例を示す図である。診断部１７は、図３に示すように、診断用のデータを生成し送信する診断データ生成部４１と、診断用のデータを受信し生成したデータとの照合を行う診断データ照合部４２と、を備える。
【００２３】
無線中継装置３が運用中に無線通信端末１−１〜１−ｎおよび２−１〜２−ｎの間で中継処理を行う際の動作を説明する。無線中継装置３の運用中は、無線受信部１１−１〜１１−ｎにより無線通信端末１−１〜１−ｎから送出された無線信号が受信され、復調部１２−１〜１２−ｎが該受信信号を復調処理することで無線信号によって転送されたデータを再生する。交換部１３が該再生データを予め設定された接続先へ送出するよう交換処理し、変調部１４−１〜１４−ｎが交換部１３から入力された再生データを再び変調する。そして、無線送信部１５−１〜１５−ｎが変調部１４−１〜１４−ｎにより変調された信号を無線信号へ変換して無線回線へ送出する。このとき、診断経路選択部１８内のセレクタ３１−１〜３１−ｎ、３２−１〜３２−ｎ、３３−１〜３３−ｎ、３４−１〜３４−ｎは上記説明の順に受信信号が転送されるように入力或いは出力の経路選択を行っている。
【００２４】
次に、復調部および変調部の更新時の動作について説明する。図４は、本実施の形態の復調部および変調部の更新および診断手順の一例を示すフローチャートである。復調部１２−１〜１２−ｎと変調部１４−１〜１４−ｎに対する更新を行う際には、まず、更新制御部１６が診断経路選択部１８に対して診断経路選択指示２１を送出して、診断経路を構築する（ステップＳ１）。この診断経路選択指示２１は、更新対象となる変調部（変調部１４−１〜１４−ｎのうちいずれか一つ）、診断用ループバック経路２６、更新対象となる復調部（復調部１２−１〜１２−ｎのうちいずれか一つ）、診断部１７の順に接続するための診断経路を構築するよう、診断経路選択部１８内のセレクタ３１−１〜３１−ｎ、３２−１〜３２−ｎ、３３−１〜３３−ｎ、３４−１〜３４−ｎのうち診断経路上に存在するセレクタに対して経路選択の変更を行う指示である。
【００２５】
本実施の形態の診断経路は、更新対象（診断対象）となる変調部および復調部について、運用中（中継動作中）の経路とは異なる独立した経路として構成し、更新対象以外の変調部および復調部については運用中の経路のままとすることができる。したがって、更新に失敗して更新対象の変調部および復調部の動作が異常となった場合も、更新対象以外の変調部および復調部については正常に運用を継続することができる。
【００２６】
次に更新制御部１６は、復調部１２−１〜１２−ｎおよび変調部１４−１〜１４−ｎのうち更新対象となる１組に対して、新たな変調方式等に対応する構成の更新を指示する（ステップＳ２）。具体的には、更新制御部１６は、復調部１２−１〜１２−ｎのうち更新対象となるいずれか一つに対して、復調部更新情報２２−１〜２２−ｎのうち更新対象の復調部１２−１〜１２−ｎに対応する情報を送出する。復調部更新情報２２−１〜２２−ｎは、更新後の復調部１２−１〜１２−ｎの構成を指示する情報である。また、更新制御部１６は、変調部１４−１〜１４−ｎのうち更新対象となるいずれか一つに対して変調部更新情報２３−１〜２３−ｎのうち更新対象の変調部１４−１〜１４−ｎに対応する情報を送出する。変調部更新情報２３−１〜２３−ｎは、更新後の変調部１４−１〜１４−ｎの構成を指示する情報である。
【００２７】
復調部更新情報２２−１〜２２−ｎを受信した復調部更新情報２２−１〜２２−ｎでは、復調部更新情報２２−１〜２２−ｎに基づいて回路またはソフトウェアの書き換え処理が行われる。変調部更新情報２３−１〜２３−ｎを受信した変調部１４−１〜１４−ｎでは、変調部更新情報２３−１〜２３−ｎに基づいて回路またはソフトウェアの書き換え処理が行われる。更新対象の復調部１２−１〜１２−ｎおよび変調部１４−１〜１４−ｎの更新が完了すると、更新制御部１６は診断部１７に対して診断実行指示２４を送出する（ステップＳ３）。診断実行指示２４を受けた診断データ生成部４１は、診断用送信データ２５を生成して診断対象に対応するセレクタ３３−１〜３３−ｎと診断データ照合部４２とへ送出する。診断用送信データは、上述の診断経路選択指示２１により構築された診断経路を経由して診断部１７で受信される。
【００２８】
具体的には、診断対象の変調部（変調部１４−１〜１４−ｎのいずれか１つ）が、入力された診断用送信データに基づいて変調を行い、診断対象の復調部（復調部１２−１〜１２−ｎのいずれか１つ）が、変調部から出力されたデータを復調して診断用受信データ２７として診断部１７へ送出する。
【００２９】
診断データ照合部４２は、診断実行指示２４を受けると診断の開始を認識し、診断データ生成部４１から受け取った診断用送信データ（診断用データ）２５と診断対象に対応するセレクタ３２−１〜３２−ｎから受信した診断用受信データ２７とを照合する。診断データ照合部４２は、これらの照合の結果が一致した場合には正常と診断し、不一致であった場合には異常と診断して、診断結果を示す診断結果通知２８を更新制御部１６へ送出する。
【００３０】
この診断結果通知２８を受けた更新制御部１６は、診断結果通知２８に基づいて更新が正常に完了したか否かを判定する（ステップＳ４）。診断結果が正常であった場合には更新が正常に完了したものと判定し（ステップＳ４  Ｙｅｓ）、更新対象の復調部および変調部を運用時の接続経路となるよう診断経路選択指示２１により診断経路選択部１８へ指示し（ステップＳ５）、更新および診断処理を終了する。
【００３１】
また、診断結果が異常であり更新が正常に完了していないと判定した場合（ステップＳ４  Ｎｏ）には、更新制御部１６は、予め設定された指定回数まで更新のリトライを行ったか否かを判断する（ステップＳ６）。指定回数まで更新のリトライを行っていない場合（ステップＳ６  Ｎｏ）、ステップＳ２へ戻り、更新のリトライを実施する。また、指定回数まで更新のリトライを行った場合（ステップＳ６  Ｙｅｓ）、更新失敗と判断して更新対象の変調部と復調部を更新前の状態に戻すよう復調部更新情報２２−１〜２２−ｎおよび変調部更新情報２３−１〜２３−ｎを用いて指示する（ステップＳ７）。さらに、更新制御部１６は、この元に戻す処理が失敗したか否かを判断し（ステップＳ８）、失敗した場合（ステップＳ８  Ｙｅｓ）には、更新対象とした変調部と復調部が故障したものと判断し（ステップＳ９）、当該変調部と復調部が運用時の接続経路および診断時の接続経路どちらにも接続されないよう、診断経路選択指示２１を用いて診断経路選択部１８に対して指示して、処理を終了する。元に戻す処理が成功した場合（ステップＳ８  Ｎｏ）、ステップＳ５へ進み、更新対象の復調部および変調部を運用時の接続経路となるよう診断経路選択指示２１により診断経路選択部１８へ指示して、処理を終了する。
【００３２】
なお、ステップＳ７で更新に失敗したと判断した場合は、その旨運用者等に通知する等の処理を行い、更新に失敗した場合の処理が実施される。
【００３３】
以上のように、本実施の形態の無線中継装置では、診断経路選択部１８が、更新対象の変調部および復調部を診断部１７と接続するよう復調部からの出力経路および変調部への入力経路を選択すると共に、変調部からの出力を復調部の入力側へループバックする経路を設け、運用中の接続経路から独立した診断用の接続経路を構築するようにしている。このため、運用中の通信回線に影響を与えずに、変復部および復調部の更新を行うことが可能となる。
【００３４】
また、本実施の形態では、診断部１７が、無線信号で転送するデータに相当する診断用データを生成して更新対象の変調部へ送出し、診断用ループバック経路２６により更新対象の変調部から更新対象の復調部へ転送され復調処理されたデータを、診断部１７自身が生成した診断用データと照合し診断結果を出力するようにしている。このため、更新する復調部および変調部の変調方式に応じて診断用データパターンを変更する必要が無く、変調方式に依存しない共通の診断回路による処理を行うことが可能となり、変調方式毎に異なる診断回路を持つことによる回路規模の増加を防止できる。さらに、任意のデータパターンを指定して診断を行うことが可能となる。
【００３５】
また、更新制御部１６が、更新対象とした変調部と復調部が故障したと判断した場合には、当該変調部と復調部が運用時の接続経路および診断時の接続経路どちらにも接続されないよう指示するようにしているので、故障した回路を運用中の回路へ接続することにより装置全体の動作に支障をきたすことを防止することができる。
【００３６】
実施の形態２．
図５は、本発明にかかる無線中継装置の実施の形態２の構成例を示す図である。本実施の形態の無線中継装置３ａは、実施の形態１の更新制御部１６，診断部１７，診断経路選択部１８の替わりに、更新制御部１６ａ，診断部１７ａ，診断経路選択部１８ａ−１〜１８ａ−ｎ，１８ｂ−１〜１８ｂ−ｎ，１８ｃ−１〜１８ｃ−ｎ，１８ｄ−１〜１８ｄ−ｎを備える以外は、実施の形態１の無線中継装置３と同様である。実施の形態１と同様の機能を有する構成要素は、実施の形態１と同一の符号を付して重複する説明を省略する。
【００３７】
実施の形態１では、診断経路選択部１８が更新対象となる復調部および変調部に対して一つの診断経路を構築するようにしたものであるが、本実施の形態では、複数の復調部および変調部を更新対象として、複数の診断経路を構築することを可能とする。
【００３８】
運用中は、診断経路選択部１８ａ−１〜１８ａ−ｎは、無線受信部１１−１〜１１−ｎからの入力がそれぞれ復調部１２−１〜１２−ｎへ入力されるよう入力元を選択し、診断経路選択部１８ｂ−１〜１８ｂ−ｎは、復調部１２−１〜１２−ｎからの出力が交換部１３へ入力されるよう出力を選択する。また、運用中、診断経路選択部１８ｃ−１〜１８ｃ−ｎは、交換部１３からの入力がそれぞれ変調部１４−１〜１４−ｎへ入力されるよう入力元を選択し、診断経路選択部１８ｄ−１〜１８ｄ−ｎは、変調部１４−１〜１４−ｎからの出力がそれぞれ無線送信部１５−１〜１５−ｎに出力されるよう出力先を選択する。
【００３９】
復調部および変調部の更新時には、無線中継装置３ａの更新制御部１６ａは、診断経路選択部１８ａ−１〜１８ａ−ｎ、１８ｂ−１〜１８ｂ−ｎ、１８ｃ−１〜１８ｃ−ｎ、１８ｄ−１〜１８ｄ−ｎに対して診断経路選択指示２１ａを送出して、変調部１４−１〜１４−ｎのうち更新対象となるもの、診断用ループバック経路２６ａ−１〜２６ａ−ｎ、復調部１２−１〜１２−ｎのうち更新対象となるもの、診断部１７ａの順に接続するための診断経路を構築するよう、診断経路選択部１８ａ−１〜１８ａ−ｎ、１８ｂ−１〜１８ｂ−ｎ、１８ｃ−１〜１８ｃ−ｎ、１８ｄ−１〜１８ｄ−ｎのうち診断経路に該当するものにおける経路選択の変更を行う。すなわち、診断経路は、更新対象となる変調部および復調部の組ごとに構築される。
【００４０】
例えば、復調部１２−１、復調部１２−２とそれぞれに対応する変調部１４−１、１４−２が更新対象であったとする。この場合、診断経路選択部１８ｃ−１，１８ｃ−２は、診断対象である変調部１４−１、１４−２に診断部１７ａからの入力が入力されるよう入力元を選択し、その他の１８ｃ−３〜１８ｃ−ｎは、運用中と同様に交換部１３からの入力を選択する。診断経路選択部１８ｄ−１，１８ｄ−２は、診断対象である変調部１４−１、１４−２から出力をそれぞれ診断経路選択部１８ａ−１，１８ａ−２へ出力するよう出力先を選択する。また、診断経路選択部１８ａ−１，１８ａ−２は、診断経路選択部１８ｄ−１，１８ｄ−２からの入力が変調部１２−１、１２−２に入力されるよう入力元を選択し、１８ｂ−１、１８ｂ−２は、変調部１２−１、１２−２からの出力を診断部１７ａへ出力するよう出力先を選択する。
【００４１】
次に更新制御部１６ａは復調部１２−１〜１２−ｎのうち更新対象となるものに対して復調部更新情報２２−１〜２２−ｎのうち更新対象の回路に対応する信号を送出し、また、変調部１４−１〜１４−ｎのうち更新対象となるものに対して変調部更新情報２３−１〜２３−ｎのうち更新対象の回路に対応する信号を送出する。これに従い更新対象の復調部および変調部において回路またはソフトウェアの書き換え処理が行われる。このように更新が完了したら、更新制御部１６ａは診断部１７ａに対して更新対象となる１つ上の復調部および変調部を指定する診断実行指示２４ａを送出する。これを受けた診断部１７ａが複数の診断用送信データ２５ａを生成して送出し、診断経路を経由して診断部１７ａで受信される。診断部１７ａは診断実行指示２４ａを受けると診断の開始を認識して更新対象となる１つ以上の復調部および変調部に対応する複数の診断用送信データ２５ａを保持する。診断部１７ａは、保持している複数の診断用送信データ２５ａと受信した複数の診断用受信データ２７ａとを照合し、更新対象となる復調部および変調部の組ごとに、これらのデータが一致した場合には正常と診断し、不一致であった場合には異常と診断して、診断結果を示す診断結果通知２８ａを更新制御部１６ａへ送出する。
【００４２】
復調部および変調部組毎の診断結果を個別に示した診断結果通知２８ａを受けた更新制御部１６ａは、診断結果が正常であった場合には更新が正常に完了したものと判定して該当する更新対象の復調部および変調部を運用時の接続経路となるよう該当する診断経路選択部へ診断経路選択指示２１ａを用いて指示する。また、更新制御部１６ａは、診断結果が異常であった復調部および変調部の組については、該当する更新対象の復調部および変調部に対して予め設定された回数まで更新のリトライを実行して、指定回数のリトライでも診断結果が正常とならない場合には、更新失敗と判断して該当する更新対象の変調部と復調部を更新前の状態に戻すよう復調部更新情報２２−１〜２２−ｎおよび変調部更新情報２３−１〜２３−ｎを用いて指示する。さらに、更新制御部１６ａは、この元に戻す処理も失敗した場合には、該当する更新対象の変調部と復調部が故障したものと判断して、当該変調部と復調部が運用時の接続経路および診断時の接続経路どちらにも接続されないよう、診断経路選択指示２１ａを用いて該当する診断経路選択部に対する指示を行う。
【００４３】
このように、本実施の形態の無線中継装置３ａでは、診断経路選択部１８ａ−１〜１８ａ−ｎ、１８ｂ−１〜１８ｂ−ｎ、１８ｃ−１〜１８ｃ−ｎ、１８ｄ−１〜１８ｄ−ｎが、それぞれ独立して診断用の接続経路を構築するようにしているので、実施の形態１で示した効果に加えて、複数の変調部および復調部に対して同時に更新を行うことが可能となる。
【００４４】
実施の形態３．
図６は、本発明にかかる無線中継装置における実施の形態３の復調部１２ａおよび変調部１４ａの構成例を示す図である。本実施の形態の無線中継装置は、実施の形態１の復調部１２−１〜１２−ｎ、変調部１４−１〜１４−ｎの替わりに復調部１２ａおよび変調部１４ａを備え、診断経路選択部１８を削除する以外は、実施の形態１の無線中継装置３と同様である。
【００４５】
実施の形態１、２では、運用中の接続経路から独立した診断用の接続経路を構築した後で復調部および変調部の更新を行うようにしたが、本実施の形態で説明するように、運用中の復調部および変調部に対して部分的な書き換えだけを実施しておき、通信を終了した後で診断用の接続経路を構築して診断を行うようにしても良い。
【００４６】
復調部１２ａは、複数の変調方式に対応する復調処理部５１−１〜５１−ｎと、これら複数の復調処理部のうちいずれか１つ以上を選択するセレクタ５２およびセレクタ５３を備える。復調処理部５１−１〜５１−ｎは動作中の部分的な書き換えが可能な回路により構成され、復調処理部５１−１〜５１−ｎのうちいずれか１つが運用中の状態で、運用中ではない１つ以上の復調処理部５１−１〜５１−ｎに対する部分的な書き換えを更新制御部１６からの指示により行う。部分的に書き換る場合、どのような書き換えも可能であるが、ここでは、復調処理部単位で書き換えを行うとする。例えば、復調処理部５１−１〜５１−ｎのうち、復調処理部５１−１を用いて運用を行っている場合に、復調処理部５１−２の回路構成の書き換えを行う等が可能である。
【００４７】
また、変調部１４ａは複数の変調方式に対応する変調処理部６１−１〜６１−ｎと、これら複数の変調処理部のうちいずれかを１つ以上を選択するセレクタ６２およびセレクタ６３を備える。変調処理部６１−１〜６１−ｎは動作中の部分的な書き換えが可能な回路により構成され、変調処理部６１−１〜６１−ｎのうちいずれか１つが運用中の状態で、運用中ではない１つ以上の変調処理部６１−１〜６１−ｎに対する部分的な書き換えを更新制御部１６からの指示により行う。
【００４８】
このようにして復調部１２ａおよび変調部１４ａの部分的な書き換えを行った後、診断部１７は、復調部１２ａおよび変調部１４ａの通信が完了した時点で、セレクタ５２、５３およびセレクタ６２、６３によって、診断用の接続経路として更新対象の復調処理部（復調処理部５１−１〜５１−ｎのいずれか１つ）および変調処理部（変調処理部６１−１〜６１−ｎのいずれか１つ）が接続されるよう診断経路を構築するよう選択の変更を行う。本実施の形態では、セレクタ５２，５３，６２，６３が、診断経路選択部としての機能を有する。そして、診断部１７は、診断部１７、変調部１４ａ、復調部１２ａ、診断部１７の順に接続する診断経路を用いて、実施の形態１と同様に診断を実施する。
【００４９】
また、更新対象の復調処理部および変調処理部が複数ある場合には、更新対象の復調処理部および変調処理部ごとに診断経路の構築と診断を実施すればよい。または、セレクタ５２、６２の入力、およびセレクタ５３、６３の出力を複数選択可能に構成しておき、実施の形態２と同様に複数の診断経路を構築して診断を行うようにしてもよい。
【００５０】
以上のように、本実施の形態では、復調部および変調部において運用中に回路の部分的な書き換えだけを行い、通信を終了した後で更新対象の復調部および変調部に対する診断を行うようにした。このため、診断のために運用できない状態となる時間を短縮することが可能となる。また、復調部および変調部に複数の変調方式に対応する処理部を持ち、複数の処理部を同時に更新できるようにしているので、一度の更新処理で複数の新たな変調方式に対応することが可能となる。
【００５１】
ところで上記説明では、この発明を運用中の復調部および変調部に対して適用する場合について述べたが、運用中ではない復調部および変調部に対して適用する場合、或いは、復調部および変調部が運用系機能部と待機系機能部とからなる冗長構成をとる場合の待機系機能部に対しても適用が可能であることは言うまでもない。
【産業上の利用可能性】
【００５２】
以上のように、本発明にかかる無線中継装置および変調方式更新方法は、無線通信端末から受信した無線信号を一旦復調してデータを再生し、このデータを再び変調して、無線信号として他方の無線通信端末へ送信する無線中継装置に有用であり、特に、運用開始後に変調方式を変更する無線中継装置に適している。
【符号の説明】
【００５３】
１−１〜１−ｎ，２−１〜２−ｎ  無線通信端末
３，３ａ  無線中継装置
１１−１〜１１−ｎ  無線受信部
１２−１〜１２−ｎ，１２ａ  復調部
１３  交換部
１４−１〜１４−ｎ，１４ａ  変調部
１５−１〜１５−ｎ  無線送信部
１６，１６ａ  更新制御部
１７，１７ａ  診断部
１８，１８ａ−１〜１８ａ−ｎ，１８ｂ−１〜１８ｂ−ｎ，１８ｃ−１〜１８ｃ−ｎ，１８ｄ−１〜１８ｄ−ｎ  診断経路選択部
３１−１〜３１−ｎ，３２−１〜３２−ｎ，３３−１〜３３−ｎ，３４−１〜３４−ｎ，５２，５３，６２，６３  セレクタ
４１  診断データ生成部
４２  診断データ照合部
５１−１〜５１−ｎ  復調処理部
６１−１〜６１−ｎ  変調処理部
【図１】
0005829546.tif 000002
【図２】
0005829546.tif 000003
【図３】
0005829546.tif 000004
【図４】
0005829546.tif 000005
【図５】
0005829546.tif 000006
【図６】
0005829546.tif 000007